(57)【要約】  ユーザ端末（ＵＥ）とネットワークアクセスノード（ｅＮＢ又はＣＩoＴ基地局）のいずれも、ローカルメモリにＵＥコンテキストを記憶する。ＵＥとネットワークアクセスとの間の指定された通信に基づいて、ＵＥコンテキストが有効であることを示すタイマーが開始される。ＵＥをアイドルモードから接続モードに移行するため、第１および第２の手続から選択が行われる。この選択は前記タイマーおよび少なくとも１つの他の所定のバリディティ基準（例えば、コンテキストバリディティエリア、無線条件、ＣＥレベル等）に基づく。そしてデータが、選択された手続を介して取得された無線接続に基づいて送信または受信される。ここで、第１の手続と第２の手続のうちのいずれか一方のみが、記憶されているＵＥコンテキストを利用する。上記手続きの間、ＵＥはＣＩoＴ基地局に、ＵＥコンテキストを記憶していることを示す情報を送信することができる。【選択図】図３
2019501595.tif 000002
【特許請求の範囲】
【請求項１】
ユーザ端末コンテキストをローカルメモリに記憶することと、
ユーザ端末とネットワークアクセスノードとの間の指定された通信に自動的に基づいて、前記記憶されているユーザ端末コンテキストが有効であることを示すタイマーを開始することと、
前記タイマーと少なくとも１つの他の所定のバリディティ基準とに基づいて、前記ユーザ端末をアイドルモードから接続モードに移行させるために、第１の手続と第２の手続との間で選択することと、
その後、前記選択された第１または第２の手続を介して取得された無線接続で、データを送信または受信することと、
を含み、ここで前記第１の手続と第２の手続のうちのいずれか一方のみが、前記記憶されているユーザ端末コンテキストを利用する、方法。
【請求項２】
前記第１の手続はRRC connection resume手続であり、前記タイマーが満了しておらず、かつ、前記少なくとも１つの他の所定のバリディティ基準が満たされる場合に選択され、
前記第２の手続はRRC connection setup手続であり、前記RRC connection setup手続の間に前記ユーザ端末のための新しいユーザ端末コンテキストが確立される、
請求項１に記載の方法。
【請求項３】
前記少なくとも１つの他の所定のバリディティ基準とは、前記ユーザ端末が指定されたコンテキストバリディティエリア内で動作していることである、請求項１または２に記載の方法。
【請求項４】
前記少なくとも１つの他の所定のバリディティ基準は、少なくとも１つの最低限の無線条件、および／または、少なくとも１つの最低限のＣＥレベルを含む、請求項３に記載の方法。
【請求項５】
前記タイマーはコンテキストバリディティタイマーであり、
前記コンテキストバリディティタイマーのための値と、前記指定されたコンテキストバリディティエリアとは、ブロードキャストシグナリングまたは専用のシグナリングを介して前記ユーザ端末に通知される、
請求項３に記載の方法。
【請求項６】
前記ユーザ端末と前記ネットワークアクセスノードとの間の前記指定された通信は、
RRC connection suspend メッセージと、
RRC connection resume メッセージと、
RRC connection reconfiguration メッセージと、
RRC connection setup メッセージと、
RRC connection release メッセージと、
ユーザデータと、
のうちの何れかを含む、請求項１から５の何れかに記載の方法。
【請求項７】
前記ネットワークアクセスノードからのシグナリングによって前記選択が無効にされ、前記記憶されているユーザ端末コンテキストを使用しないことにされた場合、前記タイマー及び前記少なくとも１つの他の所定のバリディティ基準に関わらず、前記第２の手続が選択される、請求項１から６の何れかに記載の方法。
【請求項８】
前記方法は前記ユーザ端末を動作させる方法であり、
前記ネットワークアクセスノードはＣＩoＴ基地局であり、
前記タイマーが満了しておらず、かつ、前記少なくとも１つの他の所定のバリディティ基準が満たされていることに基づいて、前記ユーザ端末が前記第１の手続を選択する場合、前記第１の手続は、前記記憶されているユーザ端末コンテキストが有効であることを前記ユーザ端末が前記ＣＩoＴ基地局に示すことを含む、
請求項１から７の何れかに記載の方法。
【請求項９】
前記方法は前記ネットワークアクセスノードを動作させる方法であり、
前記ネットワークアクセスノードはＣＩoＴ基地局であり、
前記タイマーが満了しておらず、かつ、前記少なくとも１つの他の所定のバリディティ基準が満たされていることに基づいて、前記ＣＩoＴ基地局が前記第１の手続を選択する場合、前記第１の手続は、前記記憶されているユーザ端末コンテキストが有効である旨の通知を前記ユーザ端末から前記ＣＩoＴ基地局が受信することを含む、請求項１から７の何れかに記載の方法。
【請求項１０】
コンピュータ可読プログラムを記憶する少なくとも１つのメモリと、少なくとも１つのプロセッサとを備える装置であって、前記少なくとも１つのプロセッサは、前記少なくとも１つのメモリおよび前記コンピュータ可読プログラムと共に、前記装置に少なくとも、
ユーザ端末コンテキストを前記少なくとも１つのメモリに記憶することと、
ユーザ端末とネットワークアクセスノードとの間の指定された通信に自動的に基づいて、前記記憶されているユーザ端末コンテキストが有効であることを示すタイマーを開始することと、
前記タイマーと少なくとも１つの他の所定のバリディティ基準とに基づいて、前記ユーザ端末をアイドルモードから接続モードに移行させるために、第１の手続と第２の手続との間で選択を行うことと、
その後、前記選択された第１または第２の手続を介して取得された無線接続で、データを送信または受信することと、
を実行させ、ここで前記第１の手続と第２の手続のうちのいずれか一方のみが、前記記憶されているユーザ端末コンテキストを利用する、装置。
【請求項１１】
前記第１の手続はRRC connection resume手続であり、前記タイマーが満了しておらず、かつ、前記少なくとも１つの他の所定のバリディティ基準が満たされる場合に選択され、
前記第２の手続はRRC connection setup手続であり、前記RRC connection setup手続の間に前記ユーザ端末のための新しいユーザ端末コンテキストが確立される、
請求項１０に記載の装置。
【請求項１２】
前記少なくとも１つの他の所定のバリディティ基準とは、前記ユーザ端末が指定されたコンテキストバリディティエリア内で動作していることである、請求項１０または請求項１１に記載の装置。
【請求項１３】
前記少なくとも１つの他の所定のバリディティ基準は、少なくとも１つの最低限の無線条件、および／または、少なくとも１つの最低限のＣＥレベルを含む、請求項１２に記載の装置。
【請求項１４】
前記タイマーはコンテキストバリディティタイマーであり、
前記コンテキストバリディティタイマーのための値と前記指定されたコンテキストバリディティエリアとは、ブロードキャストシグナリングまたは専用のシグナリングを介してユーザ端末に通知される、
請求項１２に記載の装置。
【請求項１５】
前記ユーザ端末と前記ネットワークアクセスノードとの間の前記指定された通信は、
RRC connection suspend メッセージと、
RRC connection resume メッセージと、
RRC connection reconfiguration メッセージと、
RRC connection setup メッセージと、
RRC connection release メッセージと、
ユーザデータと、
のうちの何れかを含む、請求項１０から１４の何れかに記載の装置。
【請求項１６】
前記ネットワークアクセスノードからのシグナリングによって前記選択が無効にされ、前記記憶されたユーザ端末コンテキストを使用しないことにされた場合前記タイマー及び前記少なくとも１つの他の所定のバリディティ基準に関わらず、前記第２の手続が選択される、請求項１０から１５の何れかに記載の装置。
【請求項１７】
前記装置は前記ユーザ端末であり、
前記ネットワークアクセスノードはＣＩoＴ基地局であり、
前記タイマーが満了しておらず、前記少なくとも１つの他の所定のバリディティ基準が満たされていることに基づいて、前記ユーザ端末が前記第１の手続を選択する場合、前記第１の手続は、前記記憶されているユーザ端末コンテキストが有効であることを前記ユーザ端末が前記ＣＩoＴ基地局に示すことを含む、
請求項１０から１６の何れかに記載の装置。
【請求項１８】
前記装置は前記ネットワークアクセスノードであり、
前記ネットワークアクセスノードはＣＩoＴ基地局であり、
前記タイマーが満了しておらず、前記少なくとも１つの他の所定のバリディティ基準が満たされていることに基づいて、前記ＣＩoＴ基地局が前記第１の手続を選択する場合、前記第１の手続は、前記記憶されているユーザ端末コンテキストが有効である旨の通知を前記ユーザ端末から前記ＣＩoＴ基地局が受信することを含む、
請求項１０から１６の何れかに記載の装置。
【請求項１９】
コンピュータ可読命令のプログラムを記憶しているメモリであって、
少なくとも１つのプロセッサによって前記プログラムが実行されると、ホスト通信デバイスに少なくとも、
ユーザ端末コンテキストを前記通信デバイスのローカルメモリに記憶することと、
ユーザ端末とネットワークアクセスノードとの間の指定された通信に自動的に基づいて、前記記憶されているユーザ端末コンテキストが有効であることを示すタイマーを開始することと、
前記タイマーと少なくとも１つの他の所定のバリディティ基準とに基づいて、前記ユーザ端末をアイドルモードから接続モードに移行させるために、第１の手続と第２の手続との間で選択することと、
その後、前記選択された第１または第２の手続を介して取得された無線接続に基づいて、データを送信または受信することと、
を実行させ、ここで前記第１の手続と第２の手続のうちのいずれか一方のみが、前記記憶されているユーザ端末コンテキストを利用する、メモリ。
【請求項２０】
前記第１の手続はRRC connection resume手続であり、前記タイマーが満了しておらず、かつ、前記少なくとも１つの他の所定のバリディティ基準が満たされる場合に選択され、
前記第２の手続はRRC connection setup手続であり、前記RRC connection setup手続の間に前記ユーザ端末のための新しいユーザ端末コンテキストが確立される、請求項１９に記載のメモリ。
【請求項２１】
前記少なくとも１つの他の所定のバリディティ基準とは、前記ユーザ端末が指定されたコンテキストバリディティエリア内で動作していることである、請求項１９または請求項２０に記載のメモリ。
【請求項２２】
前記少なくとも１つの他の所定のバリディティ基準は、少なくとも１つの最低限の無線条件、および／または、少なくとも１つの最低限のＣＥレベルを含む、請求項２１に記載のメモリ。
【請求項２３】
前記タイマーはコンテキストバリディティタイマーであり、
前記コンテキストバリディティタイマーのための値と、前記指定されたコンテキストバリディティエリアとは、ブロードキャストシグナリングまたは専用のシグナリングを介して前記ユーザ端末に通知される、
請求項２１に記載のメモリ。
【請求項２４】
前記ユーザ端末と前記ネットワークアクセスノードとの間の前記指定された通信は、
RRC connection suspend メッセージと、
RRC connection resume メッセージと、
RRC connection reconfiguration メッセージと、
RRC connection setup メッセージと、
RRC connection release メッセージと、
ユーザデータと、
のうちの何れかを含む、請求項１９から請求項２３の何れかに記載のメモリ。
【請求項２５】
前記ネットワークアクセスノードからのシグナリングによって前記選択が無効にされ、前記記憶されたユーザ端末コンテキストを使用しないことにされた場合前記タイマー及び前記少なくとも１つの他の所定のバリディティ基準に関わらず、前記第２の手続が選択される、請求項１９から請求項２４の何れかに記載のメモリ。
【請求項２６】
前記ホスト通信デバイスは前記ユーザ端末であり、
前記ネットワークアクセスノードはＣＩoＴ基地局であり、
前記タイマーが満了しておらず、前記少なくとも１つの他の所定のバリディティ基準が満たされていることに基づいて、前記ユーザ端末が前記第１の手続を選択する場合、前記第１の手続は、前記記憶されているユーザ端末コンテキストが有効であることを前記ユーザ端末がＣＩoＴ基地局に示すことを含む、
請求項１９から請求項２５の何れかに記載のメモリ。
【請求項２７】
前記ホスト通信デバイスは前記ネットワークアクセスノードであり、
前記ネットワークアクセスノードはＣＩoＴ基地局であり、
前記タイマーが満了しておらず、前記少なくとも１つの他の所定のバリディティ基準が満たされていることに基づいて、前記ＣＩoＴ基地局が前記第１の手続を選択する場合、前記第１の手続は、前記記憶されているユーザ端末コンテキストが有効である旨の通知を前記ユーザ端末から前記ＣＩoＴ基地局が受信することを含む、
請求項１９から請求項２５の何れかに記載のメモリ。
【請求項２８】
ユーザ端末コンテキストを記憶するメモリ手段と、
前記記憶されているユーザ端末コンテキストが有効であることを示すタイミング手段と、
前記ユーザ端末をアイドルモードから接続モードに移行させるために、第１の手続と第２の手続との間で選択を行う選択手段と、
前記選択された第１または第２の手続を介して取得された無線接続で、データを送信および／または受信する無線手段と、
を備える装置であって、
前記タイマー手段はユーザ端末とネットワークアクセスノードとの間の指定された通信に基づいて自動的に開始され、
前記選択は、前記タイマーと、少なくとも１つの他の所定のバリディティ基準とに基づき、
前記第１の手続と第２の手続のうちのいずれか一方のみが、前記記憶されたユーザ端末コンテキストを利用する、
装置。
【請求項２９】
前記第１の手続はRRC connection resume手続であり、前記タイミング手段が満了しておらず、かつ、前記少なくとも１つの他の所定のバリディティ基準が満たされる場合に前記選択手段によって選択され、
前記第２の手続はRRC connection setup手続であり、前記RRC connection setup手続の間に前記ユーザ端末のための新しいユーザ端末コンテキストが確立される、
請求項２８に記載の装置。
【請求項３０】
無線接続を一時停止するために無線リソース接続シグナリングを送信することと、
ユーザ端末コンテキストをローカルメモリに記憶することと、
を含み、前記無線リソース接続シグナリングはコンテキストバリディティタイムとコンテキストバリディティエリアとのうちの少なくとも１つを含む、
方法。
【請求項３１】
前記無線リソース接続シグナリングは、無線リソースの接続リリースシグナリングを含む、請求項３０に記載の方法。
【請求項３２】
コンピュータ可読プログラムを記憶する少なくとも１つのメモリと、少なくとも１つのプロセッサとを備える装置であって、前記少なくとも１つのプロセッサは、前記少なくとも１つのメモリおよび前記コンピュータ可読プログラムと共に、前記装置に少なくとも、
無線接続を一時停止するために無線リソース接続シグナリングを送信することと、
ユーザ端末コンテキストをローカルメモリに記憶することと、
を実行させ、
前記無線リソース接続シグナリングは、コンテキストバリディティタイムとコンテキストバリディティエリアとのうちの少なくとも１つを含む、
装置。
【請求項３３】
前記無線リソース接続シグナリングは、無線リソースの接続リリースシグナリングを含む、請求項３２に記載の装置。
【発明の詳細な説明】
【技術分野】
【０００１】
本明細書に記載の発明は無線通信に関するものであり、特に、ＣＩｏＴ（Cellular Internet of Things）でより一般的になる可能性のある、スモールデータパケットのための無線アクセスの確立に関するものである。
【背景】
【０００２】
ＩoＴ（Internet of Things）の通信プロトコルの進歩に向け、３ＧＰＰ（3rd Generation Partnership Project）は新たなリリース１３ＷＩ（work item）を承認した。その目的は、セルラー方式の狭帯域ＩｏＴのための無線アクセスを規定することである。大部分において、これは進化型ＵＭＴＳ無線アクセス（ＬＴＥ（またはLong Term Evolution）として知られているＥ−ＵＴＲＡ）のバリエーションに基づいている。このＷＩは、改良された屋内カバレッジエリア、通信遅延を許容しうること、によって特徴づけられる、膨大な数の低スループットデバイスのためのサポート、かなりの低コスト且つ低いデバイス消費電力、最適化されたネットワークアーキテクチャに対処するものである。
【０００３】
さらに、超低複雑性、電力制約、低データレートのＩｏＴデバイスをサポートするアーキテクチャの強化へのリサーチもあり、これらの強化は、効率性の高い周波数の操作、不定期なスモールデータの送信をサポートするものである。従来のセルラー方式のシグナリングは、比較的大きなデータが送信されることを前提に発展した。そして、ＲＲＣ（Radio Resource Control；無線リソース）接続を設定するためのシグナリングオーバーヘッドは、通信されるデータと比較して大きくなかった。バックグランドで継続的に動作する'常駐'アプリケーションの出現で、やり取りされるデータ量はさらに小さくなった。しかし、そのソリューションは先行の典型的な事象を度々適用するため、データチャネルの割当てのためのネットワーク全体のネゴシエーションの再構築よりも、データ通信の間のインアクティブ期間の方が長くなってしまった。さらに抜本的な再検討をすることがＩｏＴには必要である。なぜなら、多くのＩｏＴデバイスとのアクティブなデータ通信の間に、かなり大きな遅延期間が生じる可能性があるためである。なお、セルラー無線スペクトルを使用するＩｏＴを、ＣＩｏＴ（cellular IoT；  セルラーＩｏＴ）という。
【０００４】
いくつかの提案の概要が、3GPP TR 23.720 v1.1.0 (2015-10)で示されている。ソリューション２では、前もって確立したＮＡＳ（network access stratum）セキュリティを用いる不定期なスモールデータの送信をテーマにしている。移動体のＭＯ（mobile originated）スモールデータの送信の場合、携帯機器（例えばＵＥ（ユーザ端末））がアタッチ手続を行い、そのＡＳ（access stratum）コンテキストを要求した後にRRC接続を確立し、ＮＡＳメッセージ（新たな形式では）を送信する。ここで、このＮＡＳメッセージは、暗号化されたＩＥ（information element）に含まれるスモールデータパケットを運ぶ。Ｃ−ＳＧＮ（cellular serving gateway node）は、このＮＡＳメッセージの暗号化されていない部分から、ＵＥに割り当てられる鍵、シーケンス番号、識別子を取得する。そして、このＣ−ＳＧＮは、これら鍵、シーケンス番号、識別子を使用してＵＥセキュリティコンテキストを特定する。ここで、このセキュリティコンテキストは、スモールデータパケットの受信者に渡すためにそのスモールデータパケットを復号する。
【０００５】
同じ3GPP TR 23.720の文書でも、RRC接続を設定するためのユーザープレーン（user-plane）ソリューションであるソリューション１８の詳細が示されている。ソリューション１８には、RRC suspend手続が含まれている。このRRC suspend手続により、ＲＲＣ−ＩＤＬＥモードや類似のRRC resume手続では、ＵＥがそのＡＳ（access stratum）コンテキスト（一般的には、ＵＥ（ユーザ端末）コンテキストともいう）を確保する。図１にはこのRRC suspend手続が示されており、これは3GPP TR 23.720 v1.1.0.の図6.18.1.3-1から再作成したものである。ソリューション１８のため、ネットワークのＭＭＥ（mobility management entity）及びｅＮＢ（Ｅ−ＵＴＲＡネットワーク基地局）はＵＥそれ自身と同様に、ベアラ関連情報と共にＵＥコンテキストを記憶する。ＡＳコンテキストまたはＵＥコンテキストはＵＥセキュリティコンテキストを含む。
【０００６】
ソリューション１８の潜在的利点は、ＵＥがスモールデータパケットを送信する必要がある場合に、そのＵＥコンテキストを要求してRRC-CONNECTED モードに戻る必要がないことであろう。一方、これは効率的なことであり、その両方ともＵＥコンテキスト利用可能性（ＵＥコンテキストが利用可能であるか否か）を正しく認識しているＵＥ及びネットワークに、完全に依存する。この前提が有効でない場合、同期されたコンテキストを取得するためにシグナリングの交換が必要となる。例えば、ＵＥが、有効なＵＥコンテキストを有していないｅＮＢに対してRRC connection resume手続を開始する場合、Ｘ２インターフェースを介した（ｅＮＢからｅＮＢへの）ノーマルなRRC connection setup手続またはコンテキストのフェッチ（fetch）手続を使用した解決は、シグナリングオーバーヘッドの劇的な増加やアクセス遅延を意味するであろう。
【０００７】
一方、ｅＮＢがそのカバレッジの下で莫大な数のＵＥに関するＵＥコンテキストを維持する場合、メモリ要求はかなりのものになる。ｅＮＢが、自身のシグナリングエリア外に移動したＵＥコンテキストを記憶する場合には、より一層そのことがいえる。
【摘要】
【０００８】
本願の第１の態様によれば、ユーザ端末コンテキスト（ＵＥコンテキスト）をローカルメモリに記憶することと、ユーザ端末とネットワークアクセスノードとの間の指定された通信に自動的に基づいて、前記ＵＥコンテキストが有効であることを示すタイマーを開始することと、前記タイマーと少なくとも１つの他の所定のバリディティ基準とに基づいて、ユーザ端末をアイドルモードから接続モードに移行させるための第１の手続と第２の手続との間の選択を行うことと、その後、前記選択された第１または第２の手続を介して取得された無線接続でデータの送信または受信を行うこと（ここで、前記第１および第２の手続のいずれか１つのみが前記記憶されているＵＥコンテキストを利用する）を含む方法が存在する。
【０００９】
本願の第２の態様によれば、コンピュータ可読プログラムを記憶する少なくとも１つのメモリと、少なくとも１つのプロセッサとを備える装置が存在する。この第２の態様では、前記少なくとも１つのプロセッサは、前記少なくとも１つのメモリと前記コンピュータ可読プログラムと共に、前記装置に少なくとも、ユーザ端末コンテキストを前記少なくとも１つのメモリに記憶することと、ユーザ端末とネットワークアクセスノードとの間の指定された通信に自動的に基づいて、前記記憶されているＵＥコンテキストが有効であることを示すタイマーを開始することと、前記タイマーと少なくとも１つの他の所定のバリディティ基準とに基づいて、ユーザ端末をアイドルモードから接続モードに移行させるための第１の手続と第２の手続との間の選択を行うことと、その後、前記選択された第１または第２の手続を介して取得された無線接続でデータの送信または受信を行うこと（ここで、前記第１および第２の手続のいずれか１つのみが前記記憶されているＵＥコンテキストを利用する）を実行させる。
【００１０】
本願の第３の態様によれば、コンピュータ可読命令のプログラムを記憶するメモリが存在し、前記コンピュータ可読命令が少なくとも１つのプロセッサによって実行されると、ホスト通信デバイスに少なくとも、ユーザ端末コンテキストを前記通信デバイスのローカルメモリに記憶することと、ユーザ端末とネットワークアクセスノードとの間の指定された通信に自動的に基づいて、前記記憶されているＵＥコンテキストが有効であることを示すタイマーを開始することと、前記タイマーと少なくとも１つの他の所定のバリディティ基準とに基づいて、前記ユーザ端末をアイドルモードから接続モードに移行させるための第１の手続と第２の手続との間の選択を行うことと、その後、前記選択された第１または第２の手続を介して取得された無線接続でデータの送信または受信を行うこと（ここで、前記第１および第２の手続のいずれか１つのみが前記記憶されているＵＥコンテキストを利用する）とを実行させる。
【００１１】
本願の第４の態様によれば、メモリ手段と、タイミング手段と、選択手段と、無線手段とを備える装置があり、前記メモリ手段は、ユーザ端末コンテキストを記憶するためのものであり、前記タイミング手段は、前記記憶されているＵＥコンテキストが有効であることを示すためのものであり、ここで、前記タイミング手段はユーザ端末とネットワークアクセスノードとの間の指定された通信に基づいて自動的に開始される、前記選択手段は、ユーザ端末をアイドルモードから接続モードに移行させるために、第１の手続と第２の手続との間で選択を行う。この選択はタイマーと、少なくとも１以上の他の所定のバリディティ基準とに基づく。前記無線手段は、前記選択された第１または第２の手続を介して取得した無線接続で、データを送信または受信するためのものである。ここでは、第１の手続と第２の手続のうちのいずれか一方のみが、記憶されたＵＥコンテキストを利用する。
【００１２】
本願の第５の態様によれば、無線接続を一時停止するための無線リソース接続シグナリングを送信することと、ユーザ端末コンテキストをローカルメモリに記憶することとを含む方法が存在し、前記無線リソース接続シグナリングは、コンテキストバリディティタイムとコンテキストバリディティエリアのうちの少なくとも１つを含む。
【００１３】
本願の第６の態様によれば、コンピュータ可読プログラムを記憶する少なくとも１つのメモリと、少なくとも１つのプロセッサとを備える装置が存在する。第６の態様では、少なくとも１つのプロセッサが、前記少なくとも１つのメモリ及び前記コンピュータ可読プログラムと共に、前記装置に少なくとも、無線接続を一時停止するための無線リソース接続シグナリングを送信することと、ユーザ端末コンテキストをローカルメモリに記憶することとを実行させ、前記無線リソース接続シグナリングは、コンテキストバリディティタイムとコンテキストバリディティエリアのうちの少なくとも１つを含む。
【図面の簡単な説明】
【００１４】
【図１】従来技術のシグナリング図であり、3GPP TR 23.720 v1.1.0の図6.18.1.3-1を再作成したものである。ＣＩｏＴの目的のために検討されたRRC suspend手続を示す。
【００１５】
【図２】本願のいくつかの実施形態によるものであり、ネットワークアクセスノード、ＵＥ、その他の間のシグナリングを示す図である。
【００１６】
【図３】ＵＥ及び／またはネットワークアクセスノードの視点からの上記内容をいくつか概略化した処理フロー図である。
【００１７】
【図４】上記内容のいくつかを実用化するのに適したいくつかの装置／デバイスを示したハイレベルな概略図である。
【詳細説明】
【００１８】
3GPP TR 23.720 v1.1.0に詳述されているソリューション１８は、先行のRRC接続からの情報を後続のRRC connection setupのために再利用し、シグナリングオーバーヘッドとネットワークでの関連する処理負荷とを軽減する。このシグナリングオーバーヘッドの軽減は、これらRRC Suspend及びRRC Resumeのオプション、新しいＣＩｏＴのＩＤＬＥ（アイドル）状態での改良されたＵＥ動作の対応導入によっても実現される。ここで、この新しいＣＩｏＴのＩＤＬＥ状態では、関連するＡＳ情報が、ＵＥのＩＤＬＥモード移行時に常に記憶される。この記憶はRRC suspend手続をトリガにして行われ、その記憶されたＡＳ情報は、この新しいタイプのＵＥによる、その後の接続設定（connection setup）のために再利用される。
【００１９】
上述のとおり、ＵＥ及び／またはネットワークは、ＵＥコンテキスト利用可能性の間違った認識（incorrect knowledge）を有してしまう可能性がある。これらＵＥ及びネットワークのいずれかは、ＵＥコンテキストの不整合を是正するため、追加的で望ましくないシグナリングの交換を引き起こす。そして、シグナリングオーバーヘッドを増加させ、遅延を追加して、RRC connectionと再確立されたＵＥを取得する。この懸念事項を解決するため、ソリューション１８を特別に追加する本願の実施形態は、以下の前提から始まる。
［Ａ］ＵＥは、このＵＰ（user-plane；ユーザープレーン）ソリューションのためにRRC_IDLEモードでＡＳコンテキスト／ＵＥコンテキストを保持する場合がある（この特有のRRC_IDLEモードは、別名、拡張ＲＲＣ＿ＩＤＬＥ（拡張ＲＲＣアイドル）その他の類似名称で知られるようになった。）
［Ｂ］RRC Connection Suspend タイプの手続は、ＵＥがＡＳコンテキスト／ＵＥコンテキストを保存する間の、RRC_CONNECTED状態から上記RRC_IDLE状態への移行に使用される。
［Ｃ］ＵＥのセキュリティは、RRC Suspend及びRRC resume手続の間終始継続され、ＵＥコンテキストは変化しない。
［Ｄ］RRC Resume タイプの手続は、上記のRRC_IDLE状態からRRC_CONNECTED状態への移行に使用される。そして、ネットワーク（特にｅＮＢ）と同様にＵＥに前もって保存された情報は、RRC接続を再開するときに使用される。
［Ｅ］RRC Suspendタイプの手続とRRC Resumeタイプの手続は、新しいメッセージと共に新たな処理となる場合がある。また、これらの一方または両方は、現存するＬＴＥの手続にある新たな情報要素を使用して実行される場合がある。
［Ｆ］RRC接続を再開するためのメッセージでは、ＵＥは、ｅＮＢによって使用される識別子を提供し、記憶された情報にアクセスする。ここで、この記憶された情報は、RRC接続を再開するために要求される。
［Ｇ］RRC Resumeタイプの手続が失敗した場合（ＡＳコンテキスト／ＵＥコンテキストがなかった場合等）、ＵＥは新たなRRC connection setupを開始することができる。これは、従来のRRC establishment の手続または、それらを短縮化もしくは最適化した形式を介して行われる。
［Ｈ］承認された伝搬ブロックが多重化等を許可した場合、RRC connectionに使用されるＤＲＢ（data radio bearer）は、接続再開要求と多重化される場合がある。
［Ｉ］ＤＲＢ（data radio bearer）は、狭帯域ＩoＴで確立される。
［Ｊ］ＵＰ（user-plane）ソリューションのため、ＰＤＣＰ（packet data convergence protocol）のヘッダー圧縮が、インターネットプロトコル（ＩＰ）タイプのトラフィックに使用される場合がある。
【００２０】
ＵＥ及び／またはネットワークが、RRC Suspend及びRRC Resumeのやり取りの間でＵＥコンテキスト利用可能性の間違った認識を有するときに生じうる問題を回避するため、本願の実施形態は、本明細書でコンテキストバリディティタイム（context validity time）及びコンテキストバリディティエリア（context validity area）と称するものを取り入れる。これらは、ＵＥのRRC接続を一時停止させるのに使用されるRRC release手続でまず最初に取り入れられる。コンテキストバリディティタイムとコンテキストバリディティエリアに関する情報に基づいて、RRC resumeタイプの手続が現時刻に現エリアで成功可能か否か、または、ＵＥが不定期なスモールデータパケット等を送受信するためのデータを有しているときには、代替としてノーマルなRRC connection setup手続 （サービス要求）を実行させるべきかを、ＵＥは判断することができる。本願のさらに詳しい実施形態では、コンテキスト利用可能性指標（context availability indication）のための特定のＵＥ−仕様条件（specific condition）をさらに詳述する。ここで、このコンテキスト利用可能性指標は、ＵＥがその判断に基づいてRRC Resumeタイプの手続を試みる１つの指標である。
【００２１】
ＵＥ及びＣＩoＴ基地局（ｅＮＢ）の両方が、これら自身のコンテキストバリディティタイマーを維持している。ここで、このコンテキストバリディティタイマーは、同期して動作することが理想的であるが、互いに無関係に動作している。ある１つの実施形態では、このタイマーはネットワークからの専用シグナリングに基づいてスタートする。例えば、ＵＥが以下のいずれかを受信した場合である。RRC connection suspendメッセージ、RRC connection resumeメッセージ、RRC connection reconfigurationメッセージ、RRC connection setupメッセージ、RRC connection releaseメッセージ等を受信した場合である。ある実施形態では、このタイマーはまた、ネットワークからのデータ送信に基づいてスタートする。記憶されたＵＥコンテキストは、このタイマーの終了によって有効でなくなる（リリース、一時停止、ローカルメモリからの削除、使用中からの停止による）。もちろん、タイマーが依然として特定の命令によって実行されていても（まだタイマーが終了していない）、記憶されたＵＥコンテキストがリリースされる場合、これを無効にすることができる。そのため、ネットワークは専用のシグナリングを介してＵＥにブロードキャストまたは通信する場合がある。一旦このタイマーが開始すると、特定の実施形態では、ネットワークからのブロードキャストまたは専用のシグナリング、コントロールプレーンソリューション（例えば、3GPP TR 23.720のソリューション２、ここで、これはアタッチ手続の間のパケットデータネットワークＰＤＮ／ＩＰの接続設定を要しないシグナリングオンリーのソリューションである）の開始、ノーマルなサービス要求手続（例えば、ノーマルなRRC Connection Setup手続）の開始によって停止される。
【００２２】
タイマー用の値は、様々な実施形態において、セルの至る場所で共通の値でありうる。ここでこのセルは、システム情報に含まれるネットワークによってブロードキャストされる。追加的または代替的に、他の実施形態では、この値は専用のシグナリングでＵＥに伝達されうる。さらに／または、公開されている無線の仕様や事前にｅＮＢ及びＵＥに知らされているものに従い、規定されている場合もある。
【００２３】
コンテキストバリディティエリアは、記憶されているＵＥコンテキストが有効なエリアを示す。例えば、セル、周波数帯、特定要素の搬送波、特定周波数、トラッキングエリア、ＵＥコンテキストが有効なローミングエリア又はローカルエリアを、ネットワークはＵＥに示す。追加的または代替的に、ネットワークはＵＥコンテキストを示してもよい。ここで、このＵＥコンテキストは、コンテキストフェッチコマンドまたはコンテキストフェッチリクエストを用いれば、常にどこでも、有効になる。ＵＥがシグナリングされたコンテキストバリディティエリアから移動する場合、ＵＥは、指定されたコンテキストバリディティエリア外への移動に関する情報を、シグナリングを介してネットワークに知らせることができる。非限定的なある１つの実施形態では、これは例えばＵＥによって達成される。ここで、このＵＥは、新しいトラッキングエリアに移動する場合、ＭＭＥ（mobility management entity）からネットワークへのコンテキストリリース手続を開始する。この場合、ネットワークはコンテキストを削除できる。しかしながら、ＵＥは、コンテキストバリディティエリア外ではRRC resume手続を使用できない（移動先のエリアに対して有効な新しいＵＥコンテキストを取得していないため）。そのため、ＵＥ及びネットワークは、ＵＥがコンテキストバリディティエリア外に移動してしまうと、保存されたコンテキストをリリース、一時停止、削除その他使用を中止する場合がある。ＵＥがバリディティエリア外に移動したことをネットワークに知らせる他の例として、バリディティエリアがＵＥのトラッキングエリアにいる場合、ＵＥがそのトラッキングエリアの更新メッセージを新しいエリアに送信する前（または後）に、ＵＥから移動元のエリアに直接知らせてもよい。代替的に、ＵＥは、移動元へのこの追加的なメッセージを省略することができる。そして、バリディティエリア外に移動した場合には単に古いコンテキストの使用を中止する。また、タイマーも最終的に満了する。
【００２４】
ＵＥが、記憶されたＵＥコンテキストを使用するRRC接続の再開を望む場合、いくつかの実施形態では、特定の条件に一致した場合にのみ、使用可能な記憶されているＵＥコンテキストを有する旨を、ＵＥはネットワークに示すであろう。これらの条件は、バリディティ基準（validity criterion）とも称することができる。例えば、予めネットワークによって示された特定のコンテキストバリディティエリア（例えば、特定のセル、帯域、搬送波、周波数、トラッキングエリア、ローミングエリア、ローカルエリア）でＵＥが動作している等の条件である。他の条件として無線条件がある。例えば、最低限の信号電力および／または信号品質等を有している等である。さらに、最低限のＣＥ（coverage enhancement）レベルを有している等の条件であってもよい。ＣＥレベルは無線技術では周知であり、一般的に、不十分なカバレッジのエリアに位置する特定の無線デバイスと無線接続するための、特定の無線パラメータの追加的エフォートのレベルまたは適合レベルを意味する。これら条件のあらゆる組み合わせが、自身のＵＥコンテキストを保存しているＵＥに予め通知されていてもよい。
【００２５】
これらの実施形態にしたがうＵＥ及び／またはネットワークの特定の動作は、公開されている無線のスタンダード技術／仕様で詳細に示されている場合がある。例えば、上記の無線の仕様は、RRC接続を一時停止するため、RRC Connection Releaseメッセージにこの新しいコンテキストバリディティタイム及びコンテキストバリディティエリアの情報を追加することを必須事項としてもよい。RRC connection の一時停止手続のために採用された新しいＲＲＣメッセージが存在する場合、このコンテキストバリディティ関連情報をそのＲＲＣメッセージに追加してもよい。追加的または代替的に、コンテキストバリディティタイムとコンテキストバリディティエリア情報をブロードキャストシステム情報に追加する旨、無線の仕様が要求してもよい。ここで、このブロードキャストシステム情報は、このセルの下で動作している全ＵＥ共通である。前述のとおり、様々な例示において、このコンテキストバリディティエリア情報はセル、帯域、搬送波、周波数、トラッキングエリア、ローミングエリア、ローカルエリアであってよく、また、コンテキストフェッチコマンドまたはコンテキストフェッチリクエストを用いて、どこでも／いつでも使用可能になりえる、あらゆる時間／場所であってよい。
【００２６】
図２は、ＵＥ１０、ＣＩｏＴ基地局（ＣＩｏＴ−ＢＳ）２０、Ｃ−ＳＧＮ（cellular serving gateway）３０、Ｐ−ＧＷ（packet gateway）４０の間のシグナリングを示す図の非限定的な例示である。図２の記載に先行し、ＵＥ１０はネットワーク／ＣＩｏＴ−ＢＳ２０とRRC接続を確立しており、このネットワーク／ＣＩｏＴ−ＢＳ２０にとって有効なＵＥコンテキストが存在している。図１のステップ１と同様に、ネットワークがRRC接続を一時停止することを決定し、図１のｅＮＢとＭＭＥとの間のメッセージ２と同様に、Ｃ−ＳＧＮ３０にUE context deactivateメッセージ２０２を送信する。Ｃ−ＳＧＮ３０はその後、Release Access Bearer Request メッセージ２０３をＰ−ＧＷ４０に送信する。これに応答して、Release Access Bearer Responseメッセージ２０４が返ってくる。この応答メッセージ２０４の受信に基づき、Ｃ−ＳＧＮ３０はＣＩｏＴ−ＢＳ２０に受信確認（Ａｃｋ）２０５を送信する。これにより、ＵＥコンテキストは無効になる。
【００２７】
受信確認２０５をトリガにして、ＣＩｏＴ−ＢＳ２０はＵＥ１０に、RRC connection releaseメッセージ２０６を送信する。コンテキストバリディティタイマーの値と、コンテキストバリディテイエリアに関する情報とが（システム情報等によって）まだ提供されていない場合、RRC connection releaseメッセージ２０６がこの情報をＵＥ１０に伝えてもよい。このメッセージ２０６をトリガにして、ＵＥ１０は、ＣＩｏＴ−ＢＳ２０と同様、ＵＥコンテキストバリディティタイマー２０１−ＵＥをスタートさせ、ＣＩｏＴ−ＢＳ２０自身のローカルコンテキストバリディティタイマー２１０−ＮＷをスタートさせる。また一方、これらのタイマー２０１−ＵＥ／２１０−ＮＷはこれら各自のエンティティを実行している。ここで、この各自のエンティティは、ＵＥ１０及びＣＩｏＴ−ＢＳ２０のローカルメモリにＵＥコンテキストを記憶している。（ただし、上記の他のイベントが、ＵＥ１０及びＣＩｏＴ−ＢＳ２０にＵＥコンテキストを削除することを許可する場合は記憶していないかもしれない。例えば、指定されたコンテキストバリディティエリアの外にＵＥが移動している場合は、ＵＥコンテキストを削除することが許可されることがある。）スタートされたタイマーと共に、ＵＥ１０はRRC IDLEモードまたは状態２１１に入る。ここで、この状態２１１は、ECM IDLEモードであると理解してもよい。ＵＥ１０へのダウンリンク（ＤＬ）データがある場合、Ｃ−ＳＧＮ３０も、図２に示すようにＵＥ１０がRRC IDLEモードまたはECM IDLEモードにあることを察知する。そして、新しいデータがアップリンク上でＵＥ１０から送信されたのか、ダウンリンク上でＵＥ１０に送信されたのかに関わらず、記憶されたＵＥコンテキストを使用してRRC接続を再開する。
【００２８】
ＵＥ１０は、コンテキストバリディティタイム値をタイマーに適用する。ここで、このタイマーはネットワークからの専用のシグナリングによってスタートされる。具体的には、RRC connection suspend、RRC connection resume、RRC connection reconfiguration、RRC connection setup、及び／またはRRC connection releaseのシグナリング（例えば、新たなＲＲＣシグナリングまたは従来のＲＲＣシグナリングに追加された新たな情報のいずれか）である。このタイマーも、ＵＥから／ＵＥへのデータ送信に基づいてスタートしてもよい。データ送信には、成功したデータ送信、ユーザープレーンを介したデータ送信、及び／またはコントロールプレーンを介したデータ送信が含まれる。タイマーが開始されると、ＵＥは、RRC connection用にそのＵＥコンテキストを記憶する。ここで、このRRC connectionは、専用のシグナリングまたはデータ送信に対応している。
【００２９】
ＵＥ１０は、ネットワークからのブロードキャスト信号及び／または専用のシグナリング、コントロールプレーンソリューションの開始、及び／またはノーマルなサービス要求（RRC connection establishment）に基づいて、このコンテキストバリディティタイマーを停止することができる。
【００３０】
タイマーの満了、シグナリングされたコンテキストバリディティエリアからの転出、いずれか最初に起こったものに基づいて、ＵＥ１０は記憶されたＡＳコンテキストをリリース、一時停止、その他使用の停止をすることができる。
【００３１】
ＵＥ１０が、ＵＥコンテキストが使用可能かどうかに基づいて送信すべきアップリンデータ（ＵＬデータ）を有している場合、ＵＥ１０はいつでも、ノーマルなRRC connection setup手続（サービス要求）、または、RRC resume手続のいずれかを実行することができる。有効なＵＥコンテキストがない場合（例えば、タイマーが満了していたり、ＵＥが既にコンテキストバリディティエリアにいない場合）、ＵＥは、（従来の）RRC Connection Setup手続を実行してサービス要求をすることができる。有効なＵＥコンテキストがある場合（ＵＥコンテキストが記憶されており、タイマーがまだ満了しておらず、ＵＥがコンテキストバリディティエリアにいる場合）、ＵＥ１０は記憶されているＵＥコンテキストを使用してRRC Resumeタイプの手続を実行するであろう。そして、この手続においてＵＥ１０は、ＰＨＹレイヤ（physical layer）、ＭＡＣレイヤ（media access control）、ＲＲＣ（radio resource control）、及び／またはＮＡＳ（network access stratum）シグナリングを介して、ネットワーク／ＣＩｏＴ−ＢＳ２０にコンテキスト利用可能性を示すであろう。
【００３２】
本願のいくつかの実施形態、特に「背景」セクションに記載されているソリューション１８に適用された記載内容は、ＵＥ１０及びネットワーク／ＣＩｏＴ−ＢＳ２０双方でのＵＥコンテキストのハンドリングを最適化することの技術的効果を示している。本願に従うＡＳコンテキストマネージメントのアプローチに基づいて、コンテキストバリディティはＵＥとネットワーク／ｅＮＢとの間で同期することができ、そのため、適切なシグナリング手続が開始されて、不要なシグナリング交換を回避できる。ここで、この不要なシグナリング交換は、コンテキスト利用可能性に関するＵＥとネットワークとの間に何らかの不整合があった場合にも要求される。さらに、本発明の技術的効果は、本願の実施形態によって、ネットワーク（ｅＮＢ；ＣＩｏＴ−ＢＳ）が最適な方法でメモリを管理することを可能にすることによって、ネットワーク（ｅＮＢ；ＣＩｏＴ−ＢＳ）のサポートできるＵＥの数が増加することである。
【００３３】
図３は、図２のＣＩoＴ−ＢＳ２０等のネットワークアクセスノード及びＵＥ１０、双方の視点からみた上記態様のいくつかを概略化した処理フロー図である。図３のブロック３０２は、少なくともＵＥコンテキストをローカルメモリに記憶するステップと共に開始する。そして、ユーザ端末とネットワークアクセスノードとの間の指定された通信に自動的に基づいて、ＵＥコンテキストが有効なことを示すタイマーを開始する。これに関連し、ＵＥが図３の処理を実行している場合、コンテキストはＵＥのローカルメモリに記憶される。そして同様に、ネットワークアクセスノードがその処理を実行している場合にも、ＵＥコンテキストはアクセスノードのローカルメモリに記憶される。
【００３４】
図３では引き続きブロック３０４の処理を行う。本方法を実行している通信デバイスは、第１の手続と第２の手続との間で選択を行い、ユーザ端末をアイドルモードから接続モードに移行させる。この選択はタイマーに基づいている。ここで、このタイマーは有効であり、またさらに、少なくとも１以上の他の所定のバリディティ基準を満たしている。
【００３５】
図３では最終的に、通信デバイスが、選択された第１の手続または第２の手続を介して取得した無線接続に基づいて、（ユーザの）データを送信または受信する。ここでは、第１の手続と第２の手続のうちのいずれか一方のみが、記憶されているＵＥコンテキストを利用する。
【００３６】
図３の１つの特定の実施形態では、第１の手続はRRC(Radio Resource Control) connection resumeであり、タイマーが満了しておらず、かつ、所定のバリディティ基準の少なくとも１つを満たしている場合に選択される。一方、第２の手続はRRC connection setup手続であり、この手続の間に、ユーザ端末用のためのＵＥコンテキストが確立される。
【００３７】
この実施形態または他の実施形態では、少なくとも１つの他の所定のバリディティ基準は、ＵＥが指定のコンテキストバリディティエリア内で動作している、及び／または、ＵＥが少なくとも１つの最低限の無線条件を満たすところにいる、及び／または、ＵＥが少なくとも１つの最低限のＣＥレベルのところにいる、である。
【００３８】
上記の例示では、タイマーはコンテキストバリディティタイマーであり、そのコンテキストバリディティタイマーの値と指定されたコンテキストバリディティエリアとは、ブロードキャストシグナリングまたは専用のシグナリングを介してＵＥに通知される。
【００３９】
ブロック３０２に記載の指定された通信として、例えば、RRC connection suspendメッセージ、RRC connection resumeメッセージ、RRC connection reconfigurationメッセージ、RRC connection setupメッセージ、RRC connection releaseメッセージ、ユーザデータ、があるといえる。ブロック３０４の選択が、ネットワークアクセスノードからの（ブロードキャストまたは専用の）シグナリングによって無効にされ、記憶されているＵＥコンテキストを使用しないようにされた場合、ＵＥ及びＣＩｏＴ−ＢＳはタイマーや少なくとも１つの他の所定のバリディティ基準に関わらず第２の手続を使用することができる。
【００４０】
図３の一連のステップを実行しているのがＵＥ（ユーザ端末）であり、タイマーが満了しておらず、少なくとも１つの他の所定のバリディティ基準を満たしていることに基づいて、ＵＥが第１の手続を選択する場合、第１の手続は、記憶されているＵＥコンテキストが有効であることをＵＥがＣＩoＴ−ＢＳに示すことを含む。図３の一連のステップを実行しているのがＣＩoＴ−ＢＳであり、タイマーが満了しておらず、少なくとも１つの他の所定のバリディティ基準を満たしている（例えば、ここでは、ネットワークがＵＥのためのダウンリンクデータ（ＤＬデータ）を有しているため、RRC接続が再開される等）ことに基づいて、ＣＩoＴ−ＢＳが第１の手続を選択する場合、第１の手続は、記憶されているＵＥコンテキストが有効である旨の通知をＵＥからＣＩoＴ−ＢＳが受信することを含む。
【００４１】
図３に関連するこれらいくつかの態様は、単独またはあらゆる様々な組み合わせで実行される。
【００４２】
図４は、ＵＥ１０及びＣＩoＴ−ＢＳ２０等、図２に示されたネットワークアクセスノード２０及びＵＥ１０のいくつかの構成要素を説明する概略図である。無線システム／セルにおいて、無線ネットワークは、ＵＥ１０などと称されうる移動通信デバイスのような装置が、ノードＢ（基地局）のような無線ネットワーク・アクセスノードを通じて、無線リンク１１を介して通信できるようにされている。ノードＢは、具体的には、ＣＩoＴ−ＢＳのようにＵＥ１０のために動作することのできるｅＮＢ２０である。ネットワークはネットワーク制御要素（ＮＣＥ、図示せず）を含むことができる。ＮＣＥはＭＭＥ／Ｓ−ＧＷの機能を有していてもよく、別のネットワークへの接続を提供する。そのような別のネットワークは、電話ネットワークおよび／またはデータ通信ネットワーク（例えばインターネット）であってもよい。
【００４３】
ＵＥ１０も次のものを備える：コンピュータまたはデータプロセッサ（ＤＰ）１０Ｄ等のコントローラ；コンピュータ命令のプログラム（ＰＲＯＧ）１０Ｃを有形に格納するメモリ（ＭＥＭ）１０Ｂ等で具現化されるコンピュータ可読メモリ媒体；一つ以上のアンテナを介してｅＮＢ２０と双方向の無線通信をするための、ＲＦ送信機／受信機の組み合わせ１０Ｄ等の適合する無線インターフェース。タイマー１０Ｆは別に示されている。しかし、いくつかの実施形態では、ソフトウェアまたはＤＰ１０Ａ自身の一部として実装することも可能である。
【００４４】
無線の状態が適正基準のうちの１つ以上を満たしている場合、記憶されているコンテキストの使用を決定する前に、ＵＥ１０とリモートＵＥとの間の無線リンクを、リンク品質についてチェックすることができる。ここで、このチェックは、その測定値（例えば、受信された信号電力または信号品質）を何らかの最小閾値と比較することによって行う。
【００４５】
ネットワークアクセスノード２０も次のものを備える：コンピュータまたはデータプロセッサ（ＤＰ）２０Ａ等のコントローラ；コンピュータ命令のプログラム（ＰＲＯＧ）２０Ｃを有形に格納するメモリ（ＭＥＭ）２０Ｂ等で具現化されるコンピュータ可読メモリ媒体；一つ以上のアンテナを介してＵＥ１０（その他複数のＵＥも同様）と通信するための、ＲＦ送信機／受信機の組み合わせ２０Ｄ等の一つ以上の適合する無線インターフェース。ネットワークアクセスノード２０は、ＵＥ１０のタイマーと同期して動作するノード２０自身のタイマー２０Ｅを備える。両タイマーは、互いに直接同期するというより、むしろ上記の共通の外部イベントに基づいてスタート及びストップをする。ネットワークアクセスノード２０は、ＮＣＥへのデータパス／制御パス（図示せず）を介して接続している。また、このパスはインターフェースとして実装されていてもよい。ネットワークアクセスノード２０は、他のデータパス／制御パスを介してその他のネットワークアクセスノード／ｅＮＢとの接続することができる。これは、異なるインターフェースとして実装されてもよい。
【００４６】
ＰＲＯＧ  １０Ｃ／２０Ｃの少なくともいずれかは、関連するＤＰ１０Ａ／２０Ａに実行される時に、デバイスが、上に例示的に詳細に説明された、本発明の例示的実施形態に従った処理を行うことを可能にするプログラム命令を含んでいる。つまり、様々な実施形態は、少なくともその一部がコンピュータソフトウェアにより実装されることができる。そのようなソフトウェアは、ＵＥ １０のＤＰ１０Ａ、ネットワークアクセスノード２０のＤＰ２０Ａにより実行されることが可能である。これら様々な実施形態は、ハードウェアや、ソフトウェア及びハードウェア及び（ファームウェア）の組み合わせにより実装される場合もある。 
【００４７】
様々な例示的な実施形態では、ＵＥ１０及び／又はネットワークアクセスノード２０は、ＲＲＣモジュール、ＲＦフロントエンド等の専用プロセッサを備えてもよい。さらに、様々な例示的な実施形態の内容にしたがって動作するように構成される１つ以上のモジュールを備えてもよい。
【００４８】
コンピュータ可読ＭＥＭ  １０Ｂ／２０Ｂは、ローカルな技術環境に適したあらゆるタイプのものであってよい。例えば、半導体ベースのメモリデバイス、フラッシュメモリ、磁気メモリデバイス・システム、光学式メモリデバイス・システム、固定式・移動式メモリ等の１以上の適切なデータ格納技術を用いて実装されてもよい。非包括的なコンピュータ可読記憶媒体／メモリのさらに詳細な例示を以下に示す：１以上の有線を有する電気的接続、携帯型コンピュータディスケット、ハードディスク、ＲＡＭ（random access memory）、ＲＯＭ（read-only memory）、ＥＰＲＯＭ（erasable programmable read-only memory）またはフラッシュメモリ、光ファイバー、携帯型のＣＤ−ＲＯＭ（compact disc read-only memory）、光学式記憶デバイス、磁気記録デバイス、その他のこれらの適切な組み合わせ。
【００４９】
ＤＰ１０Ａ／２０Ａは各々の技術環境に適した任意のものであってもよく、汎用コンピュータ、専用コンピュータ、マイクロプロセッサ、デジタル信号プロセッサ（ＤＳＰ）、及びマルチコアプロセッサアーキテクチャに基づくプロセッサのうちの１つ以上を非限定的な実施例として含んでもよい。無線インターフェース（例えば、無線１０Ｄ／２０Ｄ）はローカルな技術的環境に適したものであれば何であってもよく、個々の送信機、受信機、送受信機、これらの組み合わせ等適切な通信技術を使用して実装可能である。
【００５０】
一般に、ＵＥ１０の様々な実施形態は以下のものを含んでもよい：スマートフォン、Ｍ２Ｍ（machine-to-machine）通信デバイス、携帯電話，無線通信機能を備える携帯情報端末（PDA），無線通信機能を備えるポータブルコンピュータ，無線通信機能を備える、デジタルカメラ等の撮像装置，無線通信機能を備えるゲーム機器，無線通信機能を備える音楽格納・再生装置，無線インターネットアクセスとブラウジング可能なインターネット装置，以上の機能の組合せを備えるポータブルユニットまたは装置。ただし、これらに限定されない。これらのいずれも、携帯型デバイス、ウェアラブルデバイス、それらの全て又は一部に内蔵されるデバイス、車両または固定して取り付けた通信デバイス、その他同様のデバイスとして実装可能である。
【００５１】
前述した説明は一例に過ぎないという点に留意しなくてはならない。当業者であれば、種々の代替や変更を考え出すことができる。例えば、種々の従属請求項に記載した特徴は、あらゆる適切な組合せにおいて互いに組み合わせることができる。加えて、上記の異なる実施形態による特徴を選択的に組み合わせ、本明細書には詳述されていない、他の実施形態とは別の実施形態とすることが可能である。したがって、本出願での記述は、添付の請求項に記載する範囲内にあるこうした代替、変更、及び変形の全てを包含しているものである。
【図１】
2019501595.tif 000003
【図２】
2019501595.tif 000004
【図３】
2019501595.tif 000005
【図４】
2019501595.tif 000006
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
ユーザ端末コンテキストをローカルメモリに記憶することと、
少なくとも１つの所定のバリディティ基準に基づいて、前記ユーザ端末を、前記ユーザ端末コンテキストが保持される拡張アイドルモードから接続モードに移行させる手続を開始することと、
その後、前記手続を介して取得された無線接続で、データを送信または受信することと、
を含み、ここで、
前記少なくとも１つの所定のバリディティ基準は、前記ユーザ端末が指定されたコンテキストバリディティエリア内で動作していることであり、
前記手続は、前記記憶されているユーザ端末コンテキストを利用する、
方法。
【請求項２】
前記指定されたコンテキストバリディティエリアは、前記記憶されているユーザ端末コンテキストが有効なエリアを示す、請求項１に記載の方法。
【請求項３】
前記少なくとも１つの所定のバリディティ基準は、前記記憶されているユーザ端末コンテキストが有効であることを示すタイマーを含む、請求項１に記載の方法。
【請求項４】
前記手続は、RRC connection resume手続と、RRC connection setup手続とから選択される、請求項１から３のいずれかに記載の方法。
【請求項５】
前記RRC connection resume手続は、前記タイマーが満了しておらず、かつ、前記少なくとも１つの所定のバリディティ基準が満たされる場合に選択され、
前記RRC connection resume手続が選択されない場合は、前記RRC connection setup手続が選択され、前記RRC connection setup手続の間に、前記ユーザ端末のための新しいユーザ端末コンテキストが確立される、
請求項４に記載の方法。
【請求項６】
前記タイマーはコンテキストバリディティタイマーであり、
前記コンテキストバリディティタイマーのための値と、前記指定されたコンテキストバリディティエリアとは、ブロードキャストシグナリングまたは専用のシグナリングを介して前記ユーザ端末に通知される、
請求項３に記載の方法。
【請求項７】
前記タイマーは、ユーザ端末とネットワークアクセスノードとの間の指定された通信に基づいて自動的に開始され、
前記ユーザ端末と前記ネットワークアクセスノードとの間の前記指定された通信は、
RRC connection suspend メッセージと、
RRC connection resume メッセージと、
RRC connection reconfiguration メッセージと、
RRC connection setup メッセージと、
RRC connection release メッセージと、
ユーザデータと、
のうちの何れかを含む、請求項３又は６に記載の方法。
【請求項８】
ユーザ端末コンテキストを記憶する手段と、
少なくとも１つの所定のバリディティ基準に基づいて、前記ユーザ端末を、前記ユーザ端末コンテキストが保持される拡張アイドルモードから接続モードに移行させる手続を開始する手段と、
前記手続が開始した後に、前記手続を介して取得された無線接続で、データを送信または受信する手段と、
を備え、ここで、
前記少なくとも１つの所定のバリディティ基準は、前記ユーザ端末が指定されたコンテキストバリディティエリア内で動作していることであり、
前記手続は、前記記憶されているユーザ端末コンテキストを利用する、
装置。
【請求項９】
前記指定されたコンテキストバリディティエリアは、前記記憶されているユーザ端末コンテキストが有効なエリアを示す、請求項８に記載の装置。
【請求項１０】
前記少なくとも１つの所定のバリディティ基準は、前記記憶されているユーザ端末コンテキストが有効であることを示すタイマーを含む、請求項８に記載の装置。
【請求項１１】
前記手続は、RRC connection resume手続と、RRC connection setup手続とから選択される、請求項８から１０のいずれかに記載の装置。
【請求項１２】
前記RRC connection resume手続は、前記タイマーが満了しておらず、かつ、前記少なくとも１つの所定のバリディティ基準が満たされる場合に選択され、
前記RRC connection resume手続が選択されない場合は、前記RRC connection setup手続が選択され、前記RRC connection setup手続の間に、前記ユーザ端末のための新しいユーザ端末コンテキストが確立される、
請求項１１に記載の装置。
【請求項１３】
前記少なくとも１つの所定のバリディティ基準は、少なくとも１つの最低限の無線条件、および／または、少なくとも１つの最低限のＣＥレベルを含む、請求項８から１２のいずれかに記載の装置。
【請求項１４】
前記タイマーはコンテキストバリディティタイマーであり、
前記コンテキストバリディティタイマーのための値と前記指定されたコンテキストバリディティエリアとは、ブロードキャストシグナリングまたは専用のシグナリングを介してユーザ端末に通知される、
請求項１０に記載の装置。
【請求項１５】
前記タイマーは、ユーザ端末とネットワークアクセスノードとの間の指定された通信に基づいて自動的に開始され、
前記ユーザ端末と前記ネットワークアクセスノードとの間の前記指定された通信は、
RRC connection suspend メッセージと、
RRC connection resume メッセージと、
RRC connection reconfiguration メッセージと、
RRC connection setup メッセージと、
RRC connection release メッセージと、
ユーザデータと、
のうちの何れかを含む、請求項１０又は１４に記載の装置。
【請求項１６】
前記ネットワークアクセスノードからのシグナリングによって前記選択が無効にされ、前記記憶されたユーザ端末コンテキストを使用しないことにされた場合、前記タイマー及び前記少なくとも１つの所定のバリディティ基準に関わらず、前記RRC connection setup手続が選択される、請求項１１に記載の装置。
【請求項１７】
前記装置は前記ユーザ端末であり、
前記ネットワークアクセスノードはＣＩoＴ基地局であり、
前記タイマーが満了しておらず、前記少なくとも１つの所定のバリディティ基準が満たされていることに基づいて、前記ユーザ端末が前記RRC connection resume手続を選択する場合、前記RRC connection resume手続は、前記記憶されているユーザ端末コンテキストが有効であることを前記ユーザ端末が前記ＣＩoＴ基地局に示すことを含む、
請求項１１又は１６に記載の装置。
【請求項１８】
前記装置は前記ネットワークアクセスノードであり、
前記ネットワークアクセスノードはＣＩoＴ基地局であり、
前記タイマーが満了しておらず、前記少なくとも１つの所定のバリディティ基準が満たされていることに基づいて、前記ＣＩoＴ基地局が前記RRC connection resume手続を選択する場合、前記RRC connection resume手続は、前記記憶されているユーザ端末コンテキストが有効である旨の通知を前記ユーザ端末から前記ＣＩoＴ基地局が受信することを含む、
請求項１１又は１６に記載の装置。
【請求項１９】
無線接続を一時停止するために無線リソース接続シグナリングを送信する手段と、
ユーザ端末コンテキストを記憶する手段と、
を備え、
前記無線リソース接続シグナリングは、コンテキストバリディティタイムとコンテキストバリディティエリアとのうちの少なくとも１つを含む、
装置。
【請求項２０】
前記無線リソース接続シグナリングは、無線リソースの接続リリースシグナリングを含む、請求項１９に記載の装置。
【請求項２１】
処理手段及び記憶手段を備える装置であって、前記記憶手段はプログラム命令を格納し、前記プログラム命令は、前記処理手段に実行されると、前記装置に、請求項１から７のいずれかに記載の方法を遂行させるように構成される、装置。
【請求項２２】
装置の処理手段に実行されると、前記装置に、請求項１から７のいずれかに記載の方法を遂行させるように構成されるプログラム命令を備える、コンピュータプログラム。
【国際調査報告】
2019501595.tif 000007
2019501595.tif 000008